(57)【要約】　　　（修正有）【課題】可変長フレーム信号のフレーム開始符号、アイドル符号又はフレーム終了符号に誤りが生じた場合でも、フレームの終了位置を特定できること。【解決手段】受信される、ｉ番目のフレーム終了符号、ｉ＋１番目のフレーム開始符号、及び、ｉ番目とｉ＋１番目のフレーム信号との間に配置されたアイドル符号を検出する。結果として、ｉ番目のフレーム終了符号とアイドル符号とが検出された場合、検出されたフレーム終了符号の位置を当該ｉ番目の終了位置と判定し、ｉ番目のフレーム終了符号とｉ＋１番目のフレーム開始符号とが検出されアイドル符号が検出されない場合、検出されたフレーム終了符号の位置を当該ｉ番目のフレーム終了位置と判定し、ｉ番目のフレーム終了符号が検出されないが、アイドル符号とｉ＋１番目のフレーム開始符号とが連続して検出された場合当該アイドル符号の直前の符号位置をｉ番目のフレーム終了位置と判定する。【選択図】　　　　図２
2004104174.tif 000002
【特許請求の範囲】
【請求項１】
連続するフレーム信号間に、所定長のアイドル符号が配置され、各フレーム信号が、当該フレーム信号の先頭に付されフレーム信号の開始位置を表すフレーム開始符号と、フレーム開始符号に続くフレームデータと、フレーム信号の最後部に付されフレーム信号の終了位置を表すフレーム終了符号とを有し、各フレーム信号毎に連続した符号で伝送される一連の可変長フレーム信号を受信するフレーム信号受信方法において、
ｉを１以上の自然数とした場合に、連続して受信されるｉ番目及びｉ＋１番目のフレーム信号について、ｉ番目のフレーム信号のフレーム終了符号、ｉ＋１番目のフレーム信号のフレーム開始符号、及び、ｉ番目のフレーム信号とｉ＋１番目のフレーム信号との間に配置されたアイドル符号の検出処理を実行し、
ｉ番目のフレーム信号のフレーム終了符号とアイドル符号とが連続して検出された場合、検出されたフレーム終了符号の位置を当該ｉ番目のフレーム信号の終了位置と判定し、ｉ番目のフレーム信号の終了符号とｉ＋１番目のフレーム信号のフレーム開始符号とが検出されアイドル符号が検出されない場合、検出されたフレーム終了符号の位置を当該ｉ番目のフレーム信号の終了位置と判定し、ｉ番目のフレーム信号のフレーム終了符号が検出されないが、アイドル符号とｉ＋１番目のフレーム信号のフレーム開始符号とが連続して検出された場合当該アイドル符号の直前の符号位置をｉ番目のフレーム信号のフレーム終了位置と判定することを特徴とするフレーム信号受信方法。
【請求項２】
請求項１に記載のフレーム受信方法において、前記フレーム開始符号と、フレーム終了符号と、アイドル符号とが、フレームデータで用いられていない符号であって、それぞれ異なる符号で構成されていることを特徴とするフレーム受信方法。
【発明の詳細な説明】
【０００１】
【発明の属する技術分野】
本発明は、連続するフレーム信号間に所定の長さのアイドル符号が配置され、各フレーム信号が、フレーム信号の先頭に付されフレームの開始位置を表すフレーム開始符号と、フレーム開始符号に続くフレームデータと、フレーム信号の最後部に付され当該フレーム信号の終了位置を表すフレーム終了符号とを有し、各フレーム信号毎に連続した符号で伝送される一連の可変長フレーム信号を受信するフレーム信号受信方法に関するものである。
【０００２】
【従来の技術】
情報をある大きさごとにまとめて伝送するフレーム伝送技術においては、フレーム信号は連続した符号で伝送される。１つのフレーム信号の開始位置と終了位置を表すために、フレームの先頭に特殊な符号（フレーム開始符号）を配置し、フレームの最後尾に特殊な符号（フレーム終了符号）を配置する。また、フレームとフレームの間にフレームの信号でないことを表すための特殊な符号（アイドル符号）が配置されている。１つのフレームで、フレーム開始符号とフレーム終了符号とに囲まれた部分をペイロード部とされ、伝送すべき情報が格納されている。フレーム開始符号、フレーム終了符号、および、アイドル符号は、互いに異なる符号であって、フレームのペイロード部に使用する符号のいずれとも異なる特殊な符号を用いる。こうすることにより、受信側では、受信信号に誤りが生じなければ、フレーム開始符号、フレーム終了符号、および、アイドル符号を識別することが可能である。そして、連続する各フレームの受信に際し、フレームの終了位置の判定は、フレーム信号の最後部に付されたフレーム終了符号を検出することにより行われている。このフレーム信号受信方法に関する具体的な従来技術として、例えば非特許文献１が挙げられる。
【０００３】
【非特許文献１】
ＩＥＥＥＳｔｄ．８０２．３−２００２「Ｐａｒｔ３：Ｃａｒｒｉｅｒ　ｓｅｎｓｅ　ｍｕｌｔｉｐｌｅ　ａｃｃｅｓｓ　ｗｉｔｈ　ｃｏｌｌｉｓｉｏｎ　ｄｅｔｅｃｔｉｏｎ（ＣＳＭＡ／ＣＤ）ａｃｃｅｓｓ　ｍｅｔｈｏｄ　ａｎｄ　ｐｈｙｓｉｃａｌ　ｌａｙｅｒ　ｓｐｅｃｉｆｉｃａｔｉｏｎｓ」
【０００４】
【発明が解決しようとする課題】
さて、一般に、伝送された信号には、誤りが生じる可能性がある。フレーム終了符号に誤りが生じた場合、フレーム終了符号を検出できないので、フレーム信号の終了位置を特定できない、という問題が指摘されていた。また、フレーム終了符号でない符号に誤りが生じてフレーム終了符号と同一符号になった場合、その符号の位置をフレーム終了位置であると、誤って判定してしまう、という問題もあった。
【０００５】
本発明の目的は、順次受信される一連のフレーム信号の開始位置及び終了位置を規定する符号に誤りが生じた場合であっても、フレーム終了符号と、フレーム開始符号と、アイドル符号との検出処理の結果を利用することにより、フレームの終了位置を特定できるフレーム信号受信方法を提供することにある。
【０００６】
【課題を解決するための手段】
本発明によるフレーム信号受信方法は、連続するフレーム信号間に、所定長のアイドル符号が配置され、各フレーム信号が、当該フレーム信号の先頭に付されフレーム信号の開始位置を表すフレーム開始符号と、フレーム開始符号に続くフレームデータと、フレーム信号の最後部に付されフレーム信号の終了位置を表すフレーム終了符号とを有し、各フレーム信号毎に連続した符号で伝送される一連の可変長フレーム信号を受信するフレーム信号受信方法において、
ｉを１以上の自然数とした場合に、連続して受信されるｉ番目及びｉ＋１番目のフレーム信号について、ｉ番目のフレーム信号のフレーム終了符号、ｉ＋１番目のフレーム信号のフレーム開始符号、及び、ｉ番目のフレーム信号とｉ＋１番目のフレーム信号との間に配置されたアイドル符号の検出処理を実行し、
ｉ番目のフレーム信号のフレーム終了符号とアイドル符号とが連続して検出された場合、検出されたフレーム終了符号の位置を当該ｉ番目のフレーム信号の終了位置と判定し、ｉ番目のフレーム信号の終了符号とｉ＋１番目のフレーム信号のフレーム開始符号とが検出されアイドル符号が検出されない場合、検出されたフレーム終了符号の位置を当該ｉ番目のフレーム信号の終了位置と判定し、ｉ番目のフレーム信号のフレーム終了符号が検出されないが、アイドル符号とｉ＋１番目のフレーム信号のフレーム開始符号とが連続して検出された場合当該アイドル符号の直前の符号位置をｉ番目のフレーム信号のフレーム終了位置と判定することを特徴とする。
【０００７】
本発明が対象とするフレーム構成では、隣接するフレーム間には予め定めた所定のビット長のアイドル符号のみが存在するために、アイドル符号の長さ（ビット長）は既知である。故に、アイドル符号が検出されない誤りが発生した場合であっても、その直前のビット位置にフレーム終了符号が検出されると共に所定のビット長後の位置に第２のフレーム信号のフレーム開始符号が存在する場合、当該フレーム終了符号は正しい第１のフレーム信号のフレーム終了符号であると判定することができる。
【０００８】
次に、本発明によってフレーム終了位置を特定できる確率がどれだけ増加するかについて述べる。符号に誤りが発生する確率をｐとする。ｐは１と比較すると極めて小さいが０よりは大きい。例えば、ＩＥＥＥＳｔｄ．８０２．３−２００２のＣｌａｕｓｅ３６では、１０００ＢＡＳＥ−ＸにおけるＢＥＲ（Ｂｉｔ　Ｅｒｒｏｒ　Ｒａｔｉｏ）の目標値を１０−１２としている。これは目標値であるので、実際の通信ではこれを下回ることもあり得る。例えば符号が１０ｂｉｔで構成され、ＢＥＲが１０−１２のとき、ｐは約１０−１１である。従来の、フレーム終了符号のみでフレーム終了位置を特定する方法では、フレーム終了位置を特定できる確率は、フレーム終了符号が誤らない確率であり、この値は、（１−ｐ）である。本発明では、フレーム終了位置を特定できる確率は、フレーム終了符号とその直後のアイドル符号が共に誤らない確率と、フレーム終了符号が誤らずに、その直後のアイドル符号が誤り、その直後のフレーム開始符号が誤らない確率と、フレーム終了符号が誤り、その直後のアイドル符号とその直後のフレーム開始符号が誤らない確率との和に等しく、この値は、（１−ｐ）２＋（１−ｐ）ｐ（１−ｐ）＋ｐ（１−ｐ）２＝（１−ｐ）（１＋ｐ−２ｐ２）である。ｐは０．５に比べて小さいため、この確率は（１−ｐ）よりも大きい。ここで具体的な数値計算例を示す。ｐを１０−１１とし、フレームの平均の長さを４６０ｂｉｔとし、伝送路速度を１．２５Ｇｂｉｔ／ｓとする。１日当たりのフレーム伝送数は１．２５×１０９×６０×６０×２４÷６４０＝１．６８７５×１０１１個である。フレーム終了符号に誤りが発生する確率が１０−１１であるから、平均して１０１１個のフレームに１個の割合で、フレーム終了符号に誤りが発生することになる。つまり、１０１１÷（１．６８７５×１０１１）≒０．５９日に１個の割合で、フレーム終了符号に誤りが発生することになる。これに対して、本発明では、フレーム終了符号を特定できない確率は１−（１−ｐ）（１＋ｐ−２ｐ２）≒３ｐ２＝３×１０−２２であり、３．３×１０２１個のフレームに１個の割合で、フレーム終了位置を特定できないことになる。つまり、３．３×１０２１÷（１．６８７５×１０１１）≒２×１０１０日≒５千４百万年に１個の割合で、フレーム終了位置が特定できないことになる。これはほとんど無視できる確率である。
以上述べたように、本発明は、フレーム終了位置を特定する確率を大幅に増加させることができる。
【０００９】
【発明の実施の形態】
以下、図面を参照し、本発明の実施例について説明する。図１は、本発明によるフレーム信号受信方法により順次受信される一連のフレーム信号の構成例を示す図である。初めに受信されるｉ番目のフレーム信号１０（ｉは１以上の自然数とする）は、その先頭から順に、当該フレーム信号の開始位置を規定するフレーム開始符号１１、伝送すべきデータが格納されたペイロード部（フレームデータ）１２、当該フレーム信号のフレーム終了位置を規定するフレーム終了符号１３を有する。ｉ番目のフレーム信号１０に続いて受信されるｉ＋１番目のフレーム信号２０も同様に、その先頭から順に先頭位置を規定するフレーム開始符号２１、ペイロード部２２及びフレーム終了符号２３を有する。これら第１のフレーム信号と第２のフレーム信号２０との間にアイドル符号３０が配置する。尚、図面を明瞭にするため、順次受信される第１及び第２のフレーム信号だけを図示したが、多数のフレーム信号が連続した符号で順次受信されるものとする。
【００１０】
図２は、本発明の一実施例であるフレーム終了位置を検出するフローチャートを示す図である。フレーム信号を受信しているときに、フレーム終了符号を検出した場合、次に検出された符号がアイドル符号であれば、その検出されたフレーム終了符号の位置をフレーム終了位置とする。
【００１１】
フレーム終了符号が検出された後、アイドル符号が検出されず又はアイドル符号以外の別の符号が検出された場合、検出されたフレーム終了符号から所定のビット長離れた位置に連続して伝送された第２のフレーム信号のフレーム開始符号が検出された場合、アイドル符号に誤りが発生したと判断し、検出されたフレーム終了符号の位置をフレーム終了位置と判定する。一方、第１の符号信号のフレーム終了符号が検出された後所定のビット長後の位置にフレーム開始符号が検出されなかった場合、当該検出したフレーム終了符号は本来のフレーム検出符号でなかったと判断する。
【００１２】
フレーム終了符号を検出する前にアイドル符号を検出した場合、続いて検出された符号がフレーム開始符号であれば、検出したアイドル符号の直前の符号が本来のフレーム終了符号であったと判断し、検出したアイドル符号の直前の符号の位置をフレーム終了位置と判定する。
【００１３】
【発明の効果】
以上説明したように、本発明によれば、受信信号に誤りが発生する場合がある条件下において、一連のフレーム信号を受信しているときに、フレームの終了位置を特定できる確率を向上させるという効果がある。
【図面の簡単な説明】
【図１】この発明が対象とするフレーム信号の一例の構成を示す図である。
【図２】この発明のフレーム信号受信方法のフローチャート例を示す図である。
【符号の説明】
１０　ｉ番目のフレーム信号
１１，２１　フレーム開始符号
１２，２２　ペイロード部
１３，２３　フレーム終了符号
２０　ｉ＋１番目のフレーム信号
３０　アイドル符号
【図１】
2004104174.tif 000003
【図２】
2004104174.tif 000004